【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
ディスクを搭載するターンテーブル部が一体に形成されたロータフレーム、前記ターンテーブル部と共にディスクを芯出し支持する調芯部材、前記ロータフレームに取り付けられたロータマグネット、及び前記ロータフレームの中央に固定されたシャフトを有するロータ部と、
前記シャフトを支承する軸受、この軸受を保持する円筒形状の軸受ハウジング、前記ロータマグネットと対向して配置され巻線が施されたコア、及び前記軸受ハウジングを保持するブラケットを備えるステータ部からなるディスク回転用モータにおいて、
前記ブラケットには、前記軸受ハウジングの軸方向下側の基端部を収容保持する有底円筒形状の軸受ハウジング基端部保持部が一体に形成され、この軸受ハウジング基端部保持部の底部に挿入されたスラスト板を介して前記シャフトがスラスト方向に支持されており、
さらに、前記ブラケットには、前記軸受ハウジング基端部保持部の軸方向上側に突き出して形成された円筒形状の軸受ハウジング保持部を備える、保持部材が固定されており、
前記軸受ハウジングを前記軸受ハウジング基端部保持部と前記軸受ハウジング保持部との２箇所で保持するように形成された、ディスク回転用モータ。
【請求項２】
前記保持部材には、
前記軸受ハウジング保持部の軸方向下端から径方向外側に延設された第１の平坦部と、
この第１の平坦部の外縁から軸方向下側に突き出るように形成され、前記コアの径方向の位置を定める第１の円筒部と、
この第１の円筒部の軸方向下端から径方向外側に延設され、前記コアが取り付けられる第２の平坦部と、
この第２の平坦部の外縁から軸方向下側に突き出るように形成され、前記コアの高さ方向の位置を定める第２の円筒部とが形成されていることを特徴とする、請求項１に記載のディスク回転用モータ。
【請求項３】
前記保持部材には、
前記軸受ハウジング保持部の軸方向下端に形成され、前記コアの径方向の位置を定める第１の円筒部と、
この第１の円筒部の軸方向下端から径方向外側に延設され、前記コアが取り付けられる平坦部と、
この平坦部の外縁から軸方向下側に突き出るように形成され、前記コアの高さ方向の位置を定める第２の円筒部とが形成されていることを特徴とする、請求項１に記載のディスク回転用モータ。
【請求項４】
前記軸受ハウジングの軸方向下側の基端部を径方向内側に折り曲げ、この折り曲げた部位と前記軸受ハウジング基端部保持部の底部とを接触させたことを特徴とする、請求項１から３のいずれか１項に記載のディスク回転用モータ。
【請求項５】
前記軸受ハウジング基端部保持部の底部のうち前記軸受ハウジングの基端部付近に複数の貫通穴を形成したことを特徴とする、請求項１から４のいずれか１項に記載のディスク回転用モータ。
【請求項６】
前記軸受ハウジングの軸方向上側端面には、径方向外側に向かって被係合部が一体に形成され、
前記ロータフレームには、前記被係合部と係合する係合部が形成された抜け止め部材が固定され、
前記ロータフレームの内側開口部の中央に前記軸受の一部を収納する凹部が開口方向と逆側に突き出して形成され、
この凹部内に前記被係合部および前記係合部が収容され、前記調芯部材が径方向内側に前記凹部を内包しながら前記ロータフレームに取り付けられていることを特徴とする、請求項１から５のいずれか１項に記載のディスク回転用モータ。
【請求項７】
前記軸受ハウジング保持部と前記軸受ハウジングの円筒状部との間には、光硬化型の接着剤が充填されており、
前記軸受ハウジング保持部の軸方向上側の端部には、軸方向上側に向けて拡径する拡径部が形成されていることを特徴とする、請求項１から６のいずれか１項に記載のディスク回転用モータ。
【請求項８】
前記軸受ハウジング保持部と前記軸受ハウジングの円筒状部との間には、光硬化型の接着剤が充填されており、
前記軸受ハウジング保持部の軸方向上側の端部には、軸方向上側に向けて拡径する拡径部が形成されており、
前記拡径部は、回転軸に対する前記拡径部の軸方向下側端と上側端とを結ぶ第１の傾斜角が、前記回転軸に対する前記拡径部の軸方向下側端と前記被係合部の外周とを結ぶ第２の傾斜角より大きくなるように形成されていることを特徴とする、請求項６に記載のディスク回転用モータ。
【請求項９】
請求項１から請求項８のいずれか１項に記載のディスク回転用モータを搭載したディスク駆動装置。
【手続補正２】
【補正対象書類名】明細書
【補正対象項目名】発明の名称
【補正方法】変更
【補正の内容】
【発明の名称】ディスク回転用モータ及びディスク駆動装置
【手続補正３】
【補正対象書類名】明細書
【補正対象項目名】００１０
【補正方法】変更
【補正の内容】
【００１０】
上記課題を解決するために本発明は、ディスクを搭載するターンテーブル部が一体に形成されたロータフレーム、ターンテーブル部と共にディスクを芯出し支持する調芯部材、ロータフレームに取り付けられたロータマグネット、及びロータフレームの中央に固定されたシャフトを有するロータ部と、シャフトを支承する軸受、この軸受を保持する円筒形状の軸受ハウジング、ロータマグネットと対向して配置され巻線が施されたコア、及び軸受ハウジングを保持するブラケットを備えるステータ部からなるディスク回転用モータにおいて、ブラケットには、軸受ハウジングの軸方向下側の基端部を収容保持する有底円筒形状の軸受ハウジング基端部保持部が一体に形成され、この軸受ハウジング基端部保持部の底部に挿入されたスラスト板を介してシャフトがスラスト方向に支持されており、さらに、ブラケットには、軸受ハウジング基端部保持部の軸方向上側に突き出して形成された円筒形状の軸受ハウジング保持部を備える、保持部材が固定されており、軸受ハウジングを軸受ハウジング基端部保持部と軸受ハウジング保持部との２箇所で保持するように形成されている。
好ましくは、ディスクを搭載するターンテーブル部が一体に形成されたロータフレームとディスクを芯出し支持する調芯部材と前記ロータフレームに取り付けられたロータマグネットと前記ロータフレームの中央に固定されたシャフトとを有するロータ部と、前記シャフトを支承する軸受とこの軸受を保持する円筒形状の軸受ハウジングと前記ロータマグネットと対向して配置され巻線が施されたコアと前記軸受ハウジングを保持するブラケットとを備えるステータ部とからなるディスク回転用モータにおいて、前記軸受ハウジングの軸方向上側端面には、径方向外側に向かって被係合部が一体に形成され、前記ロータフレームには、前記被係合部と係合する係合部が形成された抜け止め部材が固定され、前記ロータフレームの内側開口部の中央に前記軸受の一部を収納する凹部が開口方向と逆側に突き出して形成され、この凹部内に前記軸受ハウジングの被係合部および前記抜け止め部材の係合部が収容され、前記調芯部材が径方向内側に前記凹部を内包しながら前記ロータフレームに取り付けられ、前記ブラケットには、前記軸受ハウジングの軸方向下側の基端部を収容保持する有底円筒形状の軸受ハウジング基端部保持部が一体に形成され、この軸受ハウジング基端部保持部の底部に挿入されたスラスト板を介して前記シャフトをスラスト方向に支持しており、さらに、前記ブラケットには前記軸受ハウジング基端部保持部の軸方向上側に突き出して形成された円筒形状の軸受ハウジング保持部を備える保持部材が固定され、前記軸受ハウジングを前記軸受ハウジング基端部保持部と前記軸受ハウジング保持部の２箇所で保持するように形成したものである。
【手続補正４】
【補正対象書類名】明細書
【補正対象項目名】００１１
【補正方法】変更
【補正の内容】
【００１１】
好ましくは、上記構成に加えて、軸受ハウジング保持部と軸受ハウジングの円筒状部との間に光硬化型の接着剤を充填し、軸受ハウジング保持部の軸方向上側の端部に軸方向上側に向けて拡径する拡径部を形成し、回転中心に対する拡径部の軸方向下側端と上側端を結ぶ第１の傾斜角を、回転中心に対する拡径部の軸方向下側端と軸受ハウジングの被係合部の外周とを結ぶ第２の傾斜角より大きく形成したものである。
【手続補正５】
【補正対象書類名】明細書
【補正対象項目名】００１２
【補正方法】変更
【補正の内容】
【００１２】
好ましくは、さらに、保持部材に軸受ハウジング保持部の軸方向下端から径方向外側に延設した第１の平坦部とこの第１の平坦部の外縁から軸方向下側に突き出して形成し前記コアの径方向の位置を定める第１の円筒部とこの第１の円筒部の軸方向下端から径方向外側に延設し前記コアを取り付ける第２の平坦部とこの第２の平坦部の外縁から軸方向下側に突き出して前記コアの高さ方向の位置を定める第２の円筒部を形成したものである。
【手続補正６】
【補正対象書類名】明細書
【補正対象項目名】００１３
【補正方法】変更
【補正の内容】
【００１３】
そして、好ましくは、保持部材に軸受ハウジング保持部の軸方向下端に形成した前記コアの径方向の位置を定める第１の円筒部とこの第１の円筒部の軸方向下端から径方向外側に延設して前記コアを取り付ける平坦部とこの平坦部の外縁から軸方向下側に突き出して前記コアの高さ方向の位置を定める第２の円筒部を形成したものである。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００３０
【補正方法】変更
【補正の内容】
【００３０】
また、軸受ハウジング９の軸方向下側の基端部を径方向内側に折り曲げてＬ字形状部９ａを形成し、このＬ字形状部９ａをブラケット１３の軸受ハウジング基端部保持部１６の底部と密着させることにより、接着剤塗布部の気密性が高まり、接着剤が軸受８の内部に流出することを防止できる。さらに、光硬化型の接着剤が嫌気性を兼ね備える場合には、軸受ハウジング９の円筒部と軸受ハウジング基端部保持部１６の間の空隙に充填された接着剤を、確実に硬化させることが可能となる。
また、軸受ハウジング保持部の軸方向上側の端部に拡径部を形成して、この拡径部を接着剤の溜部とするとともに、回転中心に対する拡径部の軸方向下側端と上側端を結ぶ第１の傾斜角を、回転軸に対する拡径部の軸方向下側端と軸受ハウジングの被係合部の外周とを結ぶ第２の傾斜角より大きく形成することにより、接着剤として作業性が良好かつ高い接着強度が得られる紫外線硬化型の接着剤を使用した場合、照射される紫外線が拡径部の軸方向上側に位置する軸受ハウジングの被係合部に遮られないので、紫外線を接着剤塗布部の奥迄浸透させることができる。これにより、接着剤を確実に硬化させることができるので、締結強度の増大が期待できる。
そして、保持部材に軸受ハウジング保持部の軸方向下端から径方向外側に延設した第１の平坦部とこの第１の平坦部の外縁から軸方向下側に突き出して形成し、前記コアの径方向の位置を定める第１の円筒部とこの第１の円筒部の軸方向下端から径方向外側に延設し前記コアを取り付ける第２の平坦部とこの第２の平坦部の外縁から軸方向下側に突き出して前記コアの高さ方向の位置を定める第２の円筒部を形成することにより、保持部材がコアの径方向および軸方向高さの位置を定める機能も兼ね備えるので、部品点数の削減を図ることができる。加えて、保持部材をプレス加工により形成する場合、同一方向に複数の絞り加工を施して第１の円筒部および第２の円筒部そして軸受ハウジング保持部を形成するので、軸受ハウジング保持部の軸方向の位置を高くすることが容易となり、軸受ハウジングをより軸方向上側で保持することができるため、さらに軸受の保持剛性を高めることができる。
さらに、ロータフレームの内側開口部の中央に開口方向と逆側に突き出して形成された凹部内に、軸受の一部と軸受ハウジングの被係合部および抜け止め部材の係合部を収容し、調芯部材の径方向内側に凹部を内包しながらロータフレームに取り付ける構成にすることにより、軸受の軸方向寸法を確保しながら、薄型化することができる。
【手続補正１２】
【補正対象書類名】明細書
【補正対象項目名】００３５
【補正方法】変更
【補正の内容】
【００３５】
本実施の形態は、モータの外径寸法が小さく実施の形態１の様にコア１２の内側に広い空間を確保できず、この空間部分に広い平坦部を形成できない場合に有効である。
保持部材は、軸受ハウジング保持部以外にコアの径方向の位置を定める第１の円筒部と、コアの高さ方向の位置を定める第２の円筒部と、コアを取り付ける平坦部を形成すれば良く、平坦部は必ずしも２箇所形成する必要は無い。また保持部材は、軸受ハウジング保持部の内径寸法とブラケットに対する直角度、第１の円筒部の外形寸法と軸受ハウジング保持部の内径中心に対する同芯度、第２の円筒部の高さ寸法、コアを取り付ける平坦部のブラケットに対する平行度、以外は高い寸法精度を必要としない。従って、例えば、軸受ハウジング保持部の外形部、第２の円筒部等に抜きテーパが有っても良いのでプレス加工で容易に作成することができる。